(57)【要約】【課題】本発明は、部品の組み付け方向の制限を緩和でき、作業性が向上する部品結合構造を得ることにある。【解決手段】部品結合構造は、熱可塑性の溶着突起29, 63を有する第１の部品24, 25と、溶着突起29, 63が貫通する貫通部45, 71を有する第２の部品14とを備えている。貫通部45, 71から突出する溶着突起29 ,63の先端部を熱的に押し潰すことで、第１の部品24, 25と第２の部品14とが互いに結合される。第２の部品14の貫通部45, 71は、第２の部品14の外周縁に開口する導入口50, 72を含んでいる。導入口50, 72は、溶着突起29, 63が挿入可能な開口幅を有する。【選択図】図９
2008003714.tif 000002
【特許請求の範囲】
【請求項１】
熱可塑性の溶着突起を有する第１の部品と、
上記溶着突起が貫通する貫通部を有する第２の部品と、を具備し、
上記貫通部から突出する上記溶着突起の先端部を熱的に押し潰すことで、上記第１の部品と上記第２の部品とを互いに結合する構造であって、
上記第２の部品の貫通部は、上記第２の部品の外周縁に開口する導入口を含み、この導入口は、上記溶着突起が挿入可能な開口幅を有することを特徴とする部品結合構造。
【請求項２】
請求項１の記載において、上記溶着突起は、上記導入口から上記貫通部に導かれることを特徴とする部品結合構造。
【請求項３】
請求項２の記載において、上記貫通部は、上記導入口に連続する終端部を有し、上記終端部は上記導入口よりも幅広く形成されていることを特徴とする部品結合構造。
【請求項４】
請求項２の記載において、上記貫通部は、上記導入口に連続する終端部を有するとともに、上記挿入口から上記終端部の方向に進むに従い幅広く形成されていることを特徴とする部品結合構造。
【請求項５】
請求項３又は請求項４の記載において、上記溶着突起の先端部を熱的に押し潰した時に、溶けた材料が上記貫通部に充填されることを特徴とする部品結合構造。
【請求項６】
請求項３の記載において、上記貫通部の終端部は、上記導入口からの上記溶着突起の挿入方向に対し交差する方向に延びる溝を含み、上記溶着突起の先端部を熱的に押し潰した時に、溶けた材料が上記溝に充填されることを特徴とする部品結合構造。
【請求項７】
請求項２の記載において、上記第１の部品は、上記第２の部品に向けて突出する係合爪を有し、上記係合爪は、上記溶着突起を上記導入口から上記終端部に導いた時に、上記第２の部品に引っ掛かることで上記第１の部品と上記第２の部品との相対的な位置を規定することを特徴とする部品結合構造。
【請求項８】
請求項１の記載において、上記第１の部品は熱可塑性樹脂製であり、上記第２の部品は金属製であることを特徴とする部品結合構造。
【請求項９】
筐体と、
上記筐体に固定されるカバーと、を具備し、
上記カバーは、熱可塑性の溶着突起を有するとともに、上記筐体は、上記溶着突起が貫通する貫通部を有し、上記貫通部から突出する上記溶着突起の先端部を熱的に押し潰すことで、上記筐体と上記カバーとを互いに固定する電子機器であって、
上記筐体の貫通部は、上記筐体の外周縁に開口する導入口を含み、この導入口は、上記溶着突起が挿入可能な開口幅を有することを特徴とする電子機器。
【請求項１０】
請求項９の記載において、上記溶着突起は、上記導入口から上記貫通部に導かれることを特徴とする電子機器。
【請求項１１】
請求項９又は請求項１０の記載において、上記貫通部は、上記導入口に連続する終端部を含み、上記終端部は上記導入口よりも幅広く形成されているとともに、上記溶着突起の先端部を熱的に押し潰した時に、溶けた材料が上記貫通部に充填されることを特徴とする電子機器。
【請求項１２】
外周部に開口を有する金属製の筐体と、
上記開口に臨むように上記筐体に収容された無線通信用のアンテナ素子と、
上記筐体の開口を覆うように上記筐体に固定される合成樹脂製のアンテナカバーと、を具備し、
上記アンテナカバーは、複数の熱可塑性の溶着突起を有するとともに、上記筐体は、上記溶着突起が貫通する複数の貫通部を有し、上記貫通部から突出する上記溶着突起の先端部を熱的に押し潰すことで、上記筐体と上記アンテナカバーとを互いに固定する電子機器であって、
上記筐体の貫通部は、夫々上記開口の開口縁部に位置する導入口を含み、この導入口は、上記溶着突起が挿入可能な開口幅を有することを特徴とする電子機器。
【請求項１３】
請求項１２の記載において、上記アンテナカバーは、上記筐体の開口に向けて突出する係合爪を有し、上記係合爪は、上記溶着突起を上記導入口から上記貫通部に導いた時に、上記開口縁部に引っ掛かることで上記筐体と上記アンテナカバーとの相対的な位置を規定することを特徴とする電子機器。
【発明の詳細な説明】
【技術分野】
【０００１】
本発明は、例えば金属製の部品に合成樹脂製の部品を溶着する部品結合構造に関する。さらに本発明は、例えば金属製の筐体に合成樹脂製のカバーを溶着したポータブルコンピュータのような電子機器に関する。
【背景技術】
【０００２】
近年、筐体の内部に無線通信用のアンテナ素子を収容した電子機器が種々提供されている。この種の電子機器では、無線通信の安定化を図るために、アンテナ素子からの放射電界を妨げる要因を極力排除することが必要となる。
【０００３】
このため、例えばアンテナ素子を収容する筐体が金属製の電子機器では、筐体のうちアンテナ素子に対応する箇所に開口部を形成し、この開口部を合成樹脂製のアンテナカバーで覆っている。アンテナカバーを筐体に固定する手段としては、例えば特許文献１に開示されているような溶着を用いることが多い。
【０００４】
具体的には、筐体は、その開口部の周囲に複数の貫通孔を有している。アンテナカバーは、上記貫通孔に対応する複数の熱可塑性の溶着ピンを有している。アンテナカバーは、溶着ピンを貫通孔に挿入した後、貫通孔から突出する溶着ピンの先端部を熱的に押し潰すことで、筐体に固定されるようになっている。
【特許文献１】特開平１０−９３２５５号公報
【発明の開示】
【発明が解決しようとする課題】
【０００５】
従来の電子機器によると、溶着ピンが挿入される貫通孔は、筐体を貫通する単なる丸い孔である。このような構成では、アンテナカバーを筐体に固定する際に、溶着ピンを必ず軸方向から貫通孔に差し込まなくてはならない。
【０００６】
この結果、筐体に対するアンテナカバーの組み付け方向が大幅に制限されてしまい、アンテナカバーの組み付け作業に手間を要するといった問題がある。
【０００７】
本発明の目的は、部品の組み付け方向の制限を緩和でき、作業性が向上する部品結合構造を得ることにある。
【０００８】
本発明の他の目的は、筐体に対するカバーの組み付け方向の制限を緩和でき、作業性が向上する電子機器を得ることにある。
【課題を解決するための手段】
【０００９】
上記目的を達成するため、本発明の一つの形態に係る部品結合構造は、  
熱可塑性の溶着突起を有する第１の部品と、上記溶着突起が貫通する貫通部を有する第２の部品と、を備えており、上記貫通部から突出する上記溶着突起の先端部を熱的に押し潰すことで、上記第１の部品と上記第２の部品とを互いに結合する構造であって、  
上記第２の部品の貫通部は、上記第２の部品の外周縁に開口する導入口を含み、この導入口は、上記溶着突起が挿入可能な開口幅を有することを特徴としている。
【００１０】
上記目的を達成するため、本発明の一つの形態に係る電子機器は、  
筐体と、上記筐体に固定されるカバーと、を備えており、上記カバーは、熱可塑性の溶着突起を有するとともに、上記筐体は、上記溶着突起が貫通する貫通部を有し、上記貫通部から突出する上記溶着突起の先端部を熱的に押し潰すことで、上記筐体と上記カバーとを互いに固定する電子機器であって、
上記筐体の貫通部は、上記筐体の外周縁に開口する導入口を含み、この導入口は、上記溶着突起が挿入可能な開口幅を有することを特徴としている。
【発明の効果】
【００１１】
本発明によれば、溶着突起を第２の部品の横方向からも貫通部に導くことができ、部品の組み付け方向の制限を緩和できる。
【発明を実施するための最良の形態】
【００１２】
以下本発明の第１の実施の形態を、図１ないし図２６に基づいて説明する。
【００１３】
図１および図２は、電子機器の一例であるポータブルコンピュータ１を開示している。ポータブルコンピュータ１は、本体ユニット２とディスプレイユニット３とを備えている。
【００１４】
本体ユニット２は、第１の筐体４を有している。第１の筐体４は、上面４ａを有する偏平な箱状をなしている。第１の筐体４は、例えばＣＰＵを実装したプリント配線板やハードディスク駆動装置のような主要な構成要素を収容している。第１の筐体４の上面４ａは、キーボード５を支持している。
【００１５】
ディスプレイユニット３は、第２の筐体６、液晶表示パネル７およびタブレット８を備えている。第２の筐体６は、第１の筐体４と略同じ大きさの偏平な箱状をなしている。図３に示すように、第２の筐体６は、液晶表示パネル７およびタブレット８を収容している。タブレット８は、液晶表示パネル７の上にスペーサ９を介して積層されている。タブレット８は、入力面を兼ねる表示面８ａを有している。表示面８ａは、第２の筐体６の前面に開けた開口部１０を通じてディスプレイユニット３の外に露出している。
【００１６】
ディスプレイユニット３は、ヒンジ機構１２を介して本体ユニット２の後端部に支持されている。ヒンジ機構１２は、本体ユニット２の幅方向に延びる水平な第１の回転軸線Ｒ１と、第１の回転軸線Ｒ１と直交する第２の回転軸線Ｒ２とを有している。
【００１７】
ディスプレイユニット３は、第１の回転軸線Ｒ１を中心に閉じ位置と開き位置との間で回動可能となっている。閉じ位置では、ディスプレイユニット３は、キーボード５を上方から覆うように本体ユニット２の上に横たわる。開き位置では、ディスプレイユニット３は、キーボード５を露出させるように本体ユニット２の後端部から起立する。
【００１８】
さらに、ディスプレイユニット３は、開き位置に回動された状態において、第２の回転軸線Ｒ２を中心に第１の反転位置と第２の反転位置との間で反転可能となっている。第１の反転位置では、図１に示すようにディスプレイユニット３の表示面８ａがキーボード５を操作するオペレータと向かい合う。第２の反転位置では、ディスプレイユニット３の表示面８ａが１８０°反転し、第２の筐体６の背面がオペレータと向かい合う。
【００１９】
このことから、開き位置にあるディスプレイユニット３を第１の反転位置から第２の反転位置に反転させた後、このディスプレイユニット３を開き位置から閉じ位置に回動させると、ディスプレイユニット３は、その表示面８ａを上向きにした姿勢で本体ユニット２の上に横たわる。
【００２０】
よって、ポータブルコンピュータ１が手書き入力モードに切り換わり、例えばスタイラスペン（図示せず）を用いて表示面８ａに情報を入力することができる。
【００２１】
図１ないし図３に示すように、第２の筐体６は、ディスプレイカバー１４とディスプレイマスク１５とを備えている。ディスプレイカバー１４は、例えばマグネシウム合金のような金属材料で造られている。図５および図６に示すように、ディスプレイカバー１４は、支持壁１６、左右の側壁１７ａ，１７ｂ、上壁１８および下壁１９を有している。
【００２２】
支持壁１６は、液晶表示パネル７およびタブレット８を支持するとともに、ディスプレイユニット３を開き位置に回動させた時に本体ユニット２から起立する。側壁１７ａ，１７ｂは、支持壁１６の左右の側縁に位置している。上壁１８は、ディスプレイユニット３を開き位置に回動させた時に、支持壁１６の上縁に位置するとともに、ディスプレイユニット３の幅方向に延びている。下壁１９は、ディスプレイユニット３を開き位置に回動させた時に、支持壁１６の下縁に位置するとともに、ディスプレイユニット３の幅方向に延びている。
【００２３】
ディスプレイマスク１５は、例えば合成樹脂材料で造られている。ディスプレイマスク１５は、開口部１０を有するとともに、ディスプレイカバー１４の側壁１７ａ，１７ｂ、上壁１８および下壁１９に取り外し可能に引っ掛かっている。このため、ディスプレイマスク１５は、タブレット８および液晶表示パネル７を取り囲んでいる。
【００２４】
図６に示すように、第２の筐体６の内部に無線通信用の複数のアンテナ素子２１ａ，２１ｂ，２１ｃ，２１ｄ，２１ｅが収容されている。アンテナ素子２１ａ，２１ｂ，２１ｃ，２１ｄ，２１ｅは、ディスプレイカバー１４の支持壁１６の外周部に支持されるとともに、その少なくとも一部が支持壁１６と液晶表示パネル７との間に位置している。
【００２５】
本実施の形態によると、三つのアンテナ素子２１ａ，２１ｂ，２１ｃは、ディスプレイカバー１４の上壁１８に隣接するとともに、第２の筐体６の幅方向に間隔を存して並んでいる。残りの二つのアンテナ素子２１ｄ，２１ｅは、ディスプレイカバー１４の右側の側壁１７ｂに位置するとともに、第２の筐体６の高さ方向に間隔を存して並んでいる。
【００２６】
図７に示すように、金属製のディスプレイカバー１４は、アンテナ素子２１ａ，２１ｂ，２１ｃ，２１ｄ，２１ｅからの放射電界の妨げとならないように、第１および第２の開口２２，２３を有している。
【００２７】
第１の開口２２は、ディスプレイカバー１４の支持壁１６と上壁１８とで規定される角部に位置している。第１の開口２２は、三つのアンテナ素子２１ａ，２１ｂ，２１ｃに対応するように、第２の筐体６の幅方向に延びている。
【００２８】
第１の開口２２は、第１ないし第３の開口縁部２２ａ，２２ｂ，２２ｃを有している。第１の開口縁部２２ａは、支持壁１６に形成されてディスプレイカバー１４の幅方向に一直線状に延びている。第２の開口縁部２２ｂは、第１の開口縁部２２ａの一端から支持壁１６を横切って上壁１８の方向に延びている。第３の開口縁部２２ｃは、第１の開口縁部２２ａの他端から支持壁１６を横切って上壁１８の方向に延びている。
【００２９】
第２の開口２３は、ディスプレイカバー１４の支持壁１６と右側の側壁１７ｂとで規定される角部に位置している。第２の開口２３は、残りの二つのアンテナ素子２１ｄ，２１ｅに対応するように、第２の筐体６の高さ方向に延びている。
【００３０】
第２の開口２３は、第１ないし第３の開口縁部２３ａ，２３ｂ，２３ｃを有している。第１の開口縁部２３ａは、支持壁１６に形成されてディスプレイカバー１４の高さ方向に一直線状に延びている。第２の開口縁部２３ｂは、第１の開口縁部２３ａの一端から支持壁１６を横切って側壁１７ｂの方向に延びている。第３の開口縁部２３ｃは、第１の開口縁部２３ａの他端から支持壁１６を横切って側壁１７ｂの方向に延びている。
【００３１】
第１の開口２２は、第１のアンテナカバー２４で覆われている。同様に第２の開口２３は、第２のアンテナカバー２５で覆われている。第１および第２のアンテナカバー２４，２５は、夫々第１の部品の一例であって、例えば熱可塑性の合成樹脂材料で造られている。第１および第２のアンテナカバー２４，２５は、個々にディスプレイカバー１４に結合されており、以下に第１および第２のアンテナカバー２４，２５の結合構造について説明する。
【００３２】
図７および図８に示すように、第１のアンテナカバー２４は、第２の筐体６の幅方向に延びる細長い板状をなしており、第１ないし第４の縁部２７ａ，２７ｂ，２７ｃ，２７ｄを有している。第１のアンテナカバー２４の第１ないし第３の縁部２７ａ，２７ｂ，２７ｃは、第１の開口２２の第１ないし第３の開口縁部２２ａ，２２ｂ，２２ｃに突き合わされる。第１のアンテナカバー２４の第４の縁部２７ｄは、ディスプレイマスク１５に突き合わされる。
【００３３】
第１のアンテナカバー２４は、一対の第１の溶着突起２８、複数の第２の溶着突起２９、複数の第１の係合爪３０、第２の係合爪３１ａおよび第３の係合爪３１ｂを有している。
【００３４】
図９および図１９に示すように、第１の溶着突起２８は、第１のアンテナカバー２４の長手方向に沿う一端および他端に位置している。一方の第１の溶着突起２８は、第１のアンテナカバー２４の第２の縁部２７ｂに隣接するとともに、第１のアンテナカバー２４の内面から突出する板状をなしている。他方の第１の溶着突起２８は、第１のアンテナカバー２４の第３の縁部２７ｃに隣接するとともに、第１のアンテナカバー２４の内面から突出する板状をなしている。
【００３５】
第２の溶着突起２９は、第１のアンテナカバー２４の内面から突出する中空の円筒状をなしている。第２の溶着突起２９は、第１のアンテナカバー２４の第１の縁部２７ａに隣接するとともに、第１のアンテナカバー２４の長手方向に互いに間隔を存して一列に並んでいる。
【００３６】
第１の係合爪３０は、第１のアンテナカバー２４の第１の縁部２７ａからディスプレイカバー１４の支持壁１６に向けて突出している。第１の係合爪３０は、第１のアンテナカバー２４の長手方向に互いに間隔を存して一列に並んでいる。第１の係合爪３０は、隣り合う第２の溶着突起２９の間に位置している。
【００３７】
複数の第１の係合爪３０のうち、第１のアンテナカバー２４の長手方向に沿う一端に位置する第１の係合爪３０ａおよび第１のアンテナカバー２４の長手方向に沿う他端に位置する第１の係合爪３０ｂは、夫々図１４に示すような凹部３２を有している。凹部３２は、第１の係合爪３０ａ，３０ｂの外面に形成されているとともに、第１の係合爪３０ａ，３０ｂの突出方向と直交する方向に延びている。
【００３８】
第２の係合爪３１ａは、第１のアンテナカバー２４の第２の縁部２７ｂから第１のアンテナカバー２４の側方に突出している。第３の係合爪３１ｂは、第１のアンテナカバー２４の第３の縁部２７ｃから第１のアンテナカバー２４の側方に突出している。
【００３９】
図８に示すように、第１のアンテナカバー２４にラッチ収容部３４が形成されている。ラッチ収容部３４は、第１のアンテナカバー２４の長手方向に沿う中央部に位置している。ラッチ収容部３４は、第１のアンテナカバー２４の内面から起立する隔壁３５を有している。隔壁３５は、第１のアンテナカバー２４の長手方向に沿って延びているとともに、この隔壁３５の下端にスリット３６が形成されている。
【００４０】
ラッチ収容部３４にラッチ３７が支持されている。ラッチ３７は、ディスプレイユニット３を閉じ位置に回動させた時に、第１の筐体４の前端部に設けた凹部３８に取り外し可能に引っ掛かる。これにより、ディスプレイユニット３が閉じ位置に保持される。
【００４１】
図３、図４および図８に示すように、第１のアンテナカバー２４の内面に一対のねじ受け３９が形成されている。ねじ受け３９は、第１のアンテナカバー２４の長手方向に沿う中央部に位置し、これらねじ受け３９の間にラッチ３７が位置している。
【００４２】
ねじ受け３９は、第１のアンテナカバー２４の内面からディスプレイマスク１５に向けて突出する中空の円筒状をなしている。ねじ受け３９は、ディスプレイカバー１４に向けて開口するとともに、ねじ受け３９の突出端部には通孔４０が形成されている。通孔４０は、ディスプレイマスク１５に開けた一対のねじ挿通孔４１と合致するようになっている。
【００４３】
ディスプレイカバー１４は、第２の部品の一例であり、図７ないし図１１に示すような第１のカバー受け４３を一体に有している。第１のカバー受け４３は、第１の開口縁部２２ａから第１の開口２２の内側に向けてフランジ状に張り出している。第１のカバー受け４３は、第１の開口２２に露出する先端縁４３ａを有している。先端縁４３ａは、ディスプレイカバー１４の外形を規定する外周縁を兼ねている。
【００４４】
第１のカバー受け４３は、一対の舌片４４、複数の貫通部４５および複数の切り欠き４６を有している。図９および図１９に示すように、舌片４４は、第１の開口２２の長手方向に沿う一端および他端から第１の開口２２に向けて張り出している。舌片４４は、その先端縁に開口するスリット４７を有している。スリット４７は、第１のアンテナカバー２４の第１の溶着突起２８に対応するものであり、この第１の溶着突起２８が挿入可能な開口幅を有している。
【００４５】
貫通部４５は、第１のアンテナカバー２４の第２の溶着突起２９に対応するように、ディスプレイカバー１４の幅方向に間隔を存して一列に並んでいる。図１１および図１７に示すように、各貫通部４５は、導入口５０と終端部５１とを有している。
【００４６】
導入口５０は、第１のカバー受け４３の先端縁４３ａに開口するとともに、第２の溶着突起２９が径方向に挿入可能な開口幅Ｌ１を有している。終端部５１は、導入口５０に通じている。
【００４７】
言い換えると、各貫通部４５は、第１のカバー受け４３の先端縁４３ａに開口するように第１のカバー受け４３を切り欠いた溝状をなしている。このため、第１のアンテナカバー２４の第１の溶着突起２８は、貫通部４５に対し軸方向および径方向のいずれの方向からでも挿入が可能となっている。
【００４８】
図９および図１７に示すように、各貫通部４５の終端部５１は、一対の溝５２ａ，５２ｂを含んでいる。溝５２ａ，５２ｂは、終端部５１の互いに対向する位置から終端部５１の幅方向に沿って直線状に延びている。そのため、溝５２ａ，５２ｂは、貫通部４５の終端部５１に対し放射状に形成されている。これら溝５２ａ，５２ｂに対応する部分では、終端部５１が導入口５０よりも幅広く形成されており、終端部５１の開口幅Ｌ２が導入口５０の開口幅Ｌ１を上回っている。
【００４９】
切り欠き４６は、第１のアンテナカバー２４の第１の係合爪３０に対応するように、ディスプレイカバー１４の幅方向に間隔を存して一列に並んでいる。切り欠き４６は、第１の係合片３０が挿入可能な開口幅Ｌ３を有している。
【００５０】
図９、図１４および図１９に示すように、ディスプレイカバー１４の支持壁１６に一対の係止突起５３が形成されている。係止突起５３は、ディスプレイカバー１４の幅方向に沿う一端および他端に位置する切り欠き４６に対応している。係止突起５３は、切り欠き４６に臨むように支持壁１６の内面から突出するとともに、ディスプレイカバー１４の幅方向に延びている。
【００５１】
さらに、本実施の形態の第１のカバー受け４３は、爪部５４と一対のボス部５５とを有している。図８に示すように、爪部５４は、上記第１のアンテナカバー２４のスリット３６に対応するように、第１のカバー受け４３の先端縁４３ａから第１の開口２２に向けて張り出している。
【００５２】
図３および図８に示すように、ボス部５５は、第１のアンテナカバー２４のねじ受け３９に対応するように、第１のカバー受け４３の先端縁４３ａから突出している。ボス部５５は、ねじ孔５６を有している。ねじ孔５６は、第１のアンテナカバー２４で第１の開口２２を覆った時に、ねじ受け３９の通孔４０と合致するようになっている。
【００５３】
図９に示すように、第１のアンテナカバー２４は、ディスプレイカバー１４の上壁１８の方向から第１の開口２２に差し込まれる。この差し込みにより、第１のアンテナカバー２４の第１の溶着突起２８が舌片４４のスリット４７に入り込むとともに、第２の溶着突起２９が導入口５０から貫通部４５の終端部５１に入り込む。
【００５４】
さらに、第１のアンテナカバー２４の第１の係合爪３０が切り欠き４６に入り込む。第１の係合爪３０は、第１の開口縁部２２ａを通り越してディスプレイカバー１４の支持壁１６の内面に重なり合う。それとともに、ディスプレイカバー１４の第１のカバー受け４３が第１のアンテナカバー２４の内面の上に重なり合う。
【００５５】
第１のアンテナカバー２４の一端および他端に位置する第１の係合爪３０ａ，３０ｂは、凹部３２を有している。凹部３２は、第１のアンテナカバー２４の差し込み動作に追従して支持壁１６の内面から突出する係止突起５３に引っ掛かる。
【００５６】
第１のアンテナカバー２４を第１の開口２２に差し込んでいくと、この第１のアンテナカバー２４の第１の縁部２７ａが第１の開口２２の第１の開口縁部２２ａの直前に達した時に、第１のアンテナカバー２４の第２および第３の係合爪３１ａ，３１ｂがディスプレイカバー１４の第２および第３の開口縁部２２ｂ，２２ｃを乗り越して上壁１８に弾性的に引っ掛かる。さらに、第１のアンテナカバー２４のスリット３６に第１のカバー受け４３の爪部５４が引っ掛かる。これにより、第１のアンテナカバー２４の長手方向に沿う中央部がディスプレイカバー１４によって保持される。
【００５７】
この結果、図１０に示すように、第１のアンテナカバー２４は、第１ないし第３の係合爪３０，３１ａ，３１ｂおよび爪部５４を介してディスプレイカバー１４に仮止めされる。よって、第１のアンテナカバー２４がディスプレイカバー１４の定位置に保持され、ディスプレイカバー１４に対する第１のアンテナカバー２４のずれや浮き上がりが阻止される。
【００５８】
さらに、第１の溶着突起２８がスリット４７内に差し込まれた状態に保持され、スリット４７に対する第１の溶着突起２８の溶着位置が定まる。同様に、第２の溶着突起２９が貫通部４５内に差し込まれた状態に保持され、貫通部４５に対する第２の溶着突起２９の溶着位置が定まる。
【００５９】
第１のアンテナカバー２４をディスプレイカバー１４に仮止めした状態で、ディスプレイカバー１４を溶着機（図示せず）に装着する。溶着機は、第１および第２の溶着突起２８，２９に対応する複数の加熱ヘッドを有している。加熱ヘッドは、スリット４７から突出する第１の溶着突起２８の先端部および貫通部４５から突出する第２の溶着突起２９の先端部に接触する。これにより、第１および第２の溶着突起２８，２９が溶けて熱的に押し潰される。
【００６０】
詳しく述べると、第１の溶着突起２８が加熱されると、溶けた樹脂が舌片４４の上に広がるとともに、スリット４７に充填される。同様に、第２の溶着突起２９が加熱されると、図１５ないし図１７に示すように、溶けた樹脂２９ａが第１のカバー受け４３の上に広がるとともに、貫通部４５に充填される。
【００６１】
特に第２の溶着突起２９は、中空の円筒状をなしているので、加熱ヘッドが押し付けられた時に均等かつ速やかに軟化する。そのため、溶けた樹脂２９ａが貫通部４５に流れ込み易くなり、溶着時の作業性が良好となる。溶けた樹脂２９ａが貫通部４５で硬化すると、第１のアンテナカバー２４が第１の開口２２を塞いだ状態でディスプレイカバー１４に固定される。
【００６２】
ディスプレイマスク１５は、第１のアンテナカバー２４をディスプレイカバー１４に
固定した後、ディスプレイカバー１４に取り付けられる。図３および図４に示すように、ディスプレイマスク１５をディスプレイカバー１４に取り付けた状態では、ディスプレイマスク１５のねじ挿通孔４１がねじ受け３９の通孔４０と合致する。
【００６３】
ディスプレイマスク１５のねじ挿通孔４１に固定ねじ５９が挿入されている。固定ねじ５９は、ねじ受け３９の通孔４０を貫通してボス部５５のねじ孔５６にねじ込まれている。このため、固定ねじ５９は、第１のアンテナカバー２４の幅方向に沿う中央部をディスプレイマスク１５と一緒にディスプレイカバー１４に固定している。
【００６４】
一方、上記第２のアンテナカバー２５は、ディスプレイカバー１４の高さ（奥行き）方向に延びる細長い板状をなしている。図７および図１８に示すように、第２のアンテナカバー２５は、第１ないし第４の縁部６１ａ，６１ｂ，６１ｃ，６１ｄを有している。第２のアンテナカバー２５の第１ないし第３の縁部６１ａ，６１ｂ，６１ｃは、夫々第２の開口２３の第１ないし第３の開口縁部２３ａ，２３ｂ，２３ｃに突き合わされる。第２のアンテナカバー２５の第４の縁部６１ｄは、ディスプレイマスク１５に突き合わされる。
【００６５】
図１８ないし図２０に示すように、第２のアンテナカバー２５は、一対の第１の溶着突起６２、単一の第２の溶着突起６３、複数の第１の係合爪６４、第２の係合爪６５ａおよび第３の係合爪６５ｂを有している。
【００６６】
第１の溶着突起６２は、第２のアンテナカバー２５の長手方向に沿う一端および他端に位置している。一方の第１の溶着突起６２は、第２のアンテナカバー２５の第２の縁部６１ｂに隣接するとともに、第２のアンテナカバー２５の内面から突出する板状をなしている。他方の第１の溶着突起６２は、第２のアンテナカバー２５の第３の縁部６１ｃに隣接するとともに、第２のアンテナカバー２５の内面から突出する板状をなしている。
【００６７】
第２の溶着突起６３は、第２のアンテナカバー２５の長手方向に沿う中央部に位置している。第２の溶着突起６３は、第２のアンテナカバー２５の内面から突出するとともに、図２３および図２４に示すようなＨ形の断面形状を有している。第２の溶着突起６３は、第２のアンテナカバー２５の第１の縁部６１ａに隣接している。
【００６８】
第１の係合爪６４は、第２のアンテナカバー２５の第１の縁部６１ａからディスプレイカバー１４の支持壁１６に向けて突出している。第１の係合爪６４は、第２のアンテナカバー２５の長手方向に互いに間隔を存して一列に並んでいる。
【００６９】
複数の第１の係合爪６４のうち、第２のアンテナカバー２５の長手方向に沿う一端に位置する第１の係合爪６４ａおよび第２のアンテナカバー２５の長手方向に沿う他端に位置する第１の係合爪６４ｂは、夫々凹部６６を有している。図２５に示すように、凹部６６は、第１の係合爪６４ａ，６４ｂの外面に形成されているとともに、第１の係合爪６４ａ，６４ｂの突出方向と直交する方向に延びている。
【００７０】
第２の係合爪６５ａは、第２のアンテナカバー２５の長手方向に沿う一端に位置している。第２の係合爪６５ａは、第２のアンテナカバー２５の第２の縁部６１ｂから第２のアンテナカバー２５の外に突出している。
【００７１】
第３の係合爪６５ｂは、第２のアンテナカバー２５の長手方向に沿う他端に位置している。第３の係合爪６５ｂは、第２のアンテナカバー２５の第３の縁部６１ｃから第２のアンテナカバー２５の外に突出している。
【００７２】
図１８に示すように、ディスプレイカバー１４の支持壁１６は、第２のカバー受け６７を一体に有している。第２のカバー受け６７は、第１の開口縁部２３ａから第２の開口２３の内側に向けてフランジ状に張り出している。
【００７３】
第２のカバー受け６７は、第１ないし第３の舌片６８ａ，６８ｂ，６８ｃを有している。図１９に示すように、第１の舌片６８ａは、第１の開口縁部２３ａの長手方向に沿う一端から第２の開口２３に向けて張り出している。図２０に示すように、第２の舌片６８ｂは、第１の開口縁部２３ａの長手方向に沿う他端から第２の開口２３に向けて張り出している。第３の舌片６８ｃは、第１の開口縁部２３ａの長手方向に沿う中間部から第２の開口２３に向けて張り出している。
【００７４】
そのため、第１ないし第３の舌片６８ａ，６８ｂ，６８ｃの先端縁は、第２の開口２３ａに露出して、ディスプレイカバー１４の外形を規定する外周縁を兼ねている。
【００７５】
第１および第２の舌片６８ａ，６８ｂは、夫々その先端縁に開口するスリット６９を有している。スリット６９は、第２のアンテナカバー２５の第１の溶着突起６２に対応するものであり、第１の溶着突起６２が挿入可能な開口幅を有している。
【００７６】
第３の舌片６８ｃは、貫通部７１を有している。貫通部７１は、第２のアンテナカバー２５の第２の溶着突起６３に対応するものであり、導入口７２と終端部７３とを有している。
【００７７】
導入口７２は、第３の舌片６８ｃの先端縁に開口するとともに、第２の溶着突起６３が挿入可能な開口幅Ｌ４を有している。終端部７３は、導入口７２に通じている。さらに、終端部７３は、第２の開口２３の第１の開口縁部２３ａの方向に延びる長孔状をなしている。終端部７３の開口幅Ｌ５は、導入口７２の開口幅Ｌ４を上回っている。
【００７８】
言い換えると、貫通部７１は、終端部７３が導入口７２よりも幅広くなるように第３の舌片６８ｃを切り欠いた溝状をなしている。このため、第２のアンテナカバー２５の第２の溶着突起６３は、貫通部７１に対し軸方向およびこの軸方向と交差する方向のいずれの方向からでも挿入が可能となっている。
【００７９】
第２のカバー受け６７は、複数の切り欠き７５を有している。切り欠き７５は、第２のアンテナカバー２５の第１の係合爪６４に対応するようにディスプレイカバー１４の高さ方向に間隔を存して一列に並んでいる。切り欠き７５は、第１の係合爪６４が挿入可能な開口幅を有している。
【００８０】
ディスプレイカバー１４の支持壁１６に一対の係止突起７６が形成されている。係止突起７６は、ディスプレイカバー１４の高さ方向に沿う一端および他端に位置する切り欠き７５に対応している。係止突起７６は、切り欠き７５に臨むように支持壁１６の内面から突出するとともに、ディスプレイカバー１４の高さ方向に沿って延びている。
【００８１】
第２のアンテナカバー２５は、ディスプレイカバー１４の右側の側壁１７ｂの方向から第２の開口２３に差し込まれる。この差し込により、第２のアンテナカバー２５の第１の溶着突起６２が第１および第２の舌片６８ａ，６８ｂのスリット６９に入り込むとともに、第２の溶着突起６３が貫通部７１の導入口７２から終端部７３に入り込む。
【００８２】
さらに、第２のアンテナカバー２５の第１の係合爪６４が切り欠き７５に入り込む。第１の係合爪６４は、第１の開口縁部２３ａを通り越してディスプレイカバー１４の支持壁１６の内面に重なり合う。それとともに、ディスプレイカバー１４の第２のカバー受け６７が第２のアンテナカバー２５の内面の上に重なり合う。
【００８３】
第２のアンテナカバー２５の一端および他端に位置する第１の係合爪６４ａ，６４ｂは、凹部６６を有している。凹部６６は、第２のアンテナカバー２５の差し込み動作に追従して支持壁１６の内面から突出する係止突起７６に引っ掛かる。
【００８４】
第２のアンテナカバー２５の第１の縁部６１ａが第２の開口２３の第１の開口縁部２３ａの直前に達すると、第２のアンテナカバー２５の第２および第３の係合爪６５ａ，６５ｂがディスプレイカバー１４の第２および第３の開口縁部２３ｂ，２３ｃを乗り越して側壁１７ｂに弾性的に引っ掛かる。
【００８５】
この結果、第２のアンテナカバー２５は、第１ないし第３の係合爪６４，６５ａ，６５ｂを介してディスプレイカバー１４に仮止めされる。このことにより、第２のアンテナカバー２５がディスプレイカバー１４の定位置に保持され、ディスプレイカバー１４に対する第２のアンテナカバー２５のずれが阻止される。
【００８６】
さらに、第１の溶着突起６２がスリット６９に差し込まれた状態に保持され、スリット６９に対する第１の溶着突起６２の溶着位置が定まる。同様に、第２の溶着突起６３が貫通部７１内に差し込まれた状態に保持され、貫通部７１に対する第２の溶着突起６３の溶着位置が定まる。
【００８７】
第２のアンテナカバー２５をディスプレイカバー１４に仮止めした状態で、スリット６９から突出する第１の溶着突起６２の先端部および貫通部７１から突出する第２の溶着突起６３の先端部に溶着機の加熱ヘッドを押し付ける。これにより、第１および第２の溶着突起６２，６３が溶けて熱的に押し潰される。
【００８８】
第１の溶着突起６２が加熱されると、溶けた樹脂が第１および第２の舌片６８ａ，６８ｂの上に広がるとともに、スリット６９に充填される。同様に、第２の溶着突起６３が加熱されると、溶けた樹脂６３ａが第３の舌片６８ｃの上に広がるとともに、図２６に示すように貫通部７１に充填される。溶けた樹脂が貫通部７１で硬化することで、第２のアンテナカバー２５が第２の開口２３を塞いだ状態でディスプレイカバー１４に固定される。
【００８９】
本発明の第１の実施の形態によると、第１のアンテナカバー２４の第１の溶着突起２８が差し込まれるスリット４７は、第１の溶着突起２８が挿入可能な開口幅を有して舌片４４の先端縁に開口している。さらに、第１のアンテナカバー２４の第２の溶着突起２９が差し込まれる貫通部４５は、第１のカバー受け４３の先端縁４３ａに開口する導入口５０を含み、この導入口５０は第２の溶着突起２９が挿入可能な開口幅Ｌ１を有している。
【００９０】
これにより、第１の溶着突起２８をディスプレイカバー１４の横からスリット４７に差し込むことができるとともに、第２の溶着突起２９をディスプレイカバー１４の横から貫通部４５に差し込むことができる。
【００９１】
加えて、スリット４７は舌片４４を貫通しているので、第１の溶着突起２８を軸方向からスリット４７に差し込むことができる。それとともに、貫通部４５はディスプレイカバー１４の第１のカバー受け４３を貫通しているので、第２の溶着突起２９を軸方向から貫通部４５に差し込むことができる。
【００９２】
この結果、第１のアンテナカバー２４をディスプレイカバー１４に対して二方向から組み込むことが可能となる。
【００９３】
同様に、第２のアンテナカバー２５の第１の溶着突起６２が差し込まれるスリット６９は、第１の溶着突起６２が挿入可能な開口幅を有して第１および第２の舌片６８ａ，６８ｂの先端縁に開口している。さらに、第２のアンテナカバー２５の第２の溶着突起６３が差し込まれる貫通部７１は、第３の舌片６８ｃの先端縁に開口する導入口７２を含み、この導入口７２は第２の溶着突起６３が挿入可能な開口幅Ｌ４を有している。
【００９４】
これにより、第１の溶着突起６２をディスプレイカバー１４の横からスリット６９に差し込むことができるとともに、第２の溶着突起６３をディスプレイカバー１４の横から貫通部７１に差し込むことができる。
【００９５】
加えて、スリット６９は第１および第２の舌片６８ａ，６８ｂを貫通しているので、第１の溶着突起６２を軸方向からスリット６９に差し込むことができる。それとともに、貫通部７１は第３の舌片６８ｃを貫通しているので、第２の溶着突起２９を軸方向から貫通部７１に差し込むことができる。
【００９６】
この結果、第２のアンテナカバー２５をディスプレイカバー１４に対して二方向から組み込むことが可能となる。
【００９７】
したがって、第１および第２のアンテナカバー２４，２５の組み付け方向に関する制限が緩和され、ディスプレイユニット３の組み立て時の作業性が向上する。
【００９８】
第１の実施の形態によると、第１のアンテナカバー２４の第２の溶着突起２９が貫通する貫通部４５は、その終端部５１に第２の溶着突起２９の挿入方向と直交する方向に延びる溝５２ａ，５２ｂを有している。この溝５２ａ，５２ｂの存在により、終端部５１の開口幅Ｌ２が導入口５０の開口幅Ｌ１よりも広がっている。
【００９９】
このため、加熱ヘッドを第２の溶着突起２９に押し付けた時に、図１５ないし図１７に示すように、溶けた樹脂２９ａが溝５２ａ，５２ｂおよび導入口５０の開口端の双方に流れ込むとともに、ここで凝固する。
【０１００】
このため、たとえ第２の溶着突起２９を導入口５０の方向にずらそうとする力を第１のアンテナカバー２４が受けたとしても、溝５２ａ，５２ｂや貫通部４５の内部で凝固した樹脂２９ａが上記力に対向する。
【０１０１】
したがって、第２の溶着突起２９の先端部を熱的に押し潰すことで、第２の溶着突起２９の軸方向および径方向への第１のアンテナカバー２４の動きを制限することができ、第１のアンテナカバー２４をディスプレイカバー１４に強固に固定することができる。
【０１０２】
第２のアンテナカバー２５の第２の溶着突起６３が貫通する貫通部７１は、その終端部７３の開口幅Ｌ５が導入口７２の開口幅Ｌ４を上回っており、終端部７３に第２の溶着突起６３が導かれた時点では、第２の溶着突起６３の外周面と終端部７３の開口縁との間に隙間が生じている。
【０１０３】
このため、加熱ヘッドを第２の溶着突起６３に押し付けた時に、図２６に示すように、溶けた樹脂６３ａが第２の溶着突起６３と終端部７３との間や導入口７２の開口端に流れ込むとともに、ここで凝固する。
【０１０４】
このため、たとえ第２の溶着突起６３を導入口７２の方向にずらそうとする力を第２のアンテナカバー２５が受けたとしても、第２の溶着突起６３と終端部７３との間で凝固した樹脂６３ａが上記力に対向する。
【０１０５】
したがって、第２の溶着突起６３の先端部を熱的に押し潰すことで、第２の溶着突起６３の軸方向およびこの軸方向とは直交する方向への第２のアンテナカバー２５の動きを制限することができ、第２のアンテナカバー２５をディスプレイカバー１４に強固に固定することができる。
【０１０６】
加えて、第２のアンテナカバー２５は、第１および第２の溶着突起６２，６３を熱的に押し潰す、いわゆる溶着のみでディスプレイカバー１４に固定されている。このため、第２のアンテナカバー２５をディスプレイカバー１４の横から第２の開口２３に組み込む構成を採用したにも拘らず、第２のアンテナカバー２５の固定部分から金属製のねじを排除することができる。
【０１０７】
よって、アンテナ素子２１ｄ，２１ｅの付近に金属製のねじが位置することはなく、アンテナ特性への悪影響を回避できる。
【０１０８】
第１の実施の形態によると、第１のアンテナカバー２４は、第１ないし第３の係合爪３０，３１ａ，３１ｂをディスプレイカバー１４に引っ掛けることで、第１の開口２２を覆った状態でディスプレイカバー１４に仮止めされる。
【０１０９】
同様に、第２のアンテナカバー２５は、第１ないし第３の係合爪６４，６５ａ，６５ｂをディスプレイカバー１４に引っ掛けることで、第２の開口２３を覆った状態でディスプレイカバー１４に仮止めされる。
【０１１０】
このため、第２の溶着突起２８，６３を熱的に押し潰す際に、第１および第２のアンテナカバー２４，２５がディスプレイカバー１４の定位置からずれるのを防止できる。この結果、ディスプレイカバー１４と第１のアンテナカバー２４との境界部分、およびディスプレイカバー１４と第２のアンテナカバー２５との境界部分に段差や隙間が生じ難くなり、ポータブルコンピュータ１の外観が良好となる。
【０１１１】
さらに、第１のアンテナカバー２４の第２の溶着突起２９が差し込まれる貫通部４５は、第１のカバー受け４３の先端縁４３ａに開口している。これにより、貫通部が単なる孔である場合との比較において、第２の溶着突起２９と貫通部４５との溶着箇所をディスプレイカバー１４の外周部の方向にずらすことができる。
【０１１２】
言い換えると、第１の開口２２の開口形状を極力小さく抑えて、第１のアンテナカバー２４をコンパクトに形成することができる。よって、第１のアンテナカバー２４が目立ち難くなり、ポータブルコンピュータ１の外観的な面でも好都合となる。
【０１１３】
本発明は、上記第１の実施の形態に特定されるものではなく、発明の主旨を逸脱しない範囲内で種々変形して実施可能である。
【０１１４】
例えば、図２７は本発明の第２の実施の形態を開示している。
【０１１５】
この第２の実施の形態では、貫通部４５の終端部５１に位置する溝５２ａ，５２ｂが、終端部５１の互いに対向する位置から導入口５０の反対側に向けて延びている。さらに、溝５２ａ，５２ｂは、導入口５０から遠ざかるに従い互いに離間する方向に傾斜している。
【０１１６】
このような構成においても、加熱ヘッドを第２の溶着突起２９に押し付けた時に、図２７に示すように、溶けた樹脂２９ａが溝５２ａ，５２ｂおよび導入口５０の開口端の双方に流れ込むとともに、ここで凝固する。したがって、第２の溶着突起２９が貫通部４５の導入口５０から抜け出るのを防止することができる。
【０１１７】
図２８は、本発明の第３の実施の形態を開示している。
【０１１８】
この第３の実施の形態の貫通部４５は、導入口５０と終端部５１とを結ぶ一対の開口側縁８１ａ，８１ｂを有している。さらに、終端部５１の開口幅Ｌ２は、導入口５０の開口幅Ｌ１よりも大きくなっている。そのため、開口側縁８１ａ，８１ｂは、終端部５１から導入口５０の方向に進むに従い互いに近づく方向に傾斜している。この傾斜により、貫通部４５は、導入口５０から終端部５１の方向に進むに従い次第に広く形成されている。
【０１１９】
このような構成によると、加熱ヘッドを第２の溶着突起２９に押し付けた時に、図２８に示すように、溶けた樹脂２９ａが第２の溶着突起２９と貫通部４５との間の隙間に流れ込むとともに、ここで凝固する。貫通部４５の側縁８１ａ，８１ｂは、第２の溶着突起２９の挿入方向に対し傾斜しているので、凝固した樹脂が開口側縁８１ａ，８１ｂに引っ掛かる。したがって、第２の溶着突起２９が貫通部４５の導入口５０から抜け出るのを防止することができる。
【０１２０】
なお、上記第１の実施の形態において、例えば複数の第２の溶着突起のうちのいずれかの直径を、導入口の開口幅よりも僅かに大きく形成してもよい。この構成によれば、第２の溶着突起は、その外周面が貫通部の縁との接触により削られながら貫通部に差し込まれることになる。このため、貫通部と第２の溶着突起との接触部分に生じる摩擦抵抗により第１のアンテナカバーのがたつきが回避され、第１のアンテナカバーの組み込み作業を容易に行なうことができる。
【０１２１】
加えて、本発明はディスプレイカバーと第１および第２のアンテナカバーとを固定する構造に特定されるものではない。例えば金属製の第１の筐体に、赤外線ポートを有する合成樹脂製のフロントカバーを固定する構造に適用することも可能である。
【０１２２】
さらに、第１の部品と第２の部品の材質にしても上記第１の実施の形態に限らない。例えば、第１および第２の部品の双方を熱可塑性の合成樹脂材料あるいは金属材料で成形してもよい。溶着突起を有する第１の部品を金属製とする場合、この金属としてはアルミニウム合金を用いたり、あるいは溶着突起の少なくとも先端部を半田で形成することが望ましい。
【０１２３】
本発明に係る電子機器は、ポータブルコンピュータに特定されるものではない。例えば携帯型情報端末機器のようなその他の電子機器にも同様に実施可能である。
【図面の簡単な説明】
【０１２４】
【図１】本発明の第１の実施の形態に係るポータブルコンピュータの斜視図。
【図２】本発明の第１の実施の形態において、ディスプレイユニットを背後から見たポータブルコンピュータの斜視図。
【図３】本発明の第１の実施の形態において、第２の筐体、液晶表示パネルおよびタブレットの位置関係を示すディスプレイユニットの断面図。
【図４】図３のＦ４−Ｆ４線に沿う断面図。
【図５】本発明の第１の実施の形態において、ディスプレイカバーに液晶表示パネルおよびタブレットを装着した状態を示す平面図。
【図６】本発明の第１の実施の形態に係るディスプレイカバーの平面図。
【図７】本発明の第１の実施の形態において、ディスプレイカバー、第１のアンテナカバーおよび第２のアンテナカバーの位置関係を示す斜視図。
【図８】本発明の第１の実施の形態において、ディスプレイカバーと第１のアンテカバーと位置関係を示す斜視図。
【図９】図８のＦ９部を拡大して示す斜視図。
【図１０】本発明の第１の実施の形態において、ディスプレイカバーに第１のアンテカバーを組み付けた状態を示す斜視図。
【図１１】本発明の第１の実施の形態において、ディスプレイカバーに第１のアンテカバーを組み付けた状態を示す平面図。
【図１２】図１１のＦ１２−Ｆ１２線に沿う断面図。
【図１３】図１１のＦ１３−Ｆ１３線に沿う断面図。
【図１４】図１１のＦ１４−Ｆ１４線に沿う断面図。
【図１５】本発明の第１の実施の形態において、第２の溶着突起を熱的に押し潰した状態を示す断面図。
【図１６】本発明の第１の実施の形態において、第２の溶着突起を熱的に押し潰した状態を示す断面図。
【図１７】本発明の第１の実施の形態において、貫通部に溶けた樹脂が充填された状態を示す断面図。
【図１８】本発明の第１の実施の形態において、ディスプレイカバーと第２のアンテナカバーとの位置関係を示す斜視図。
【図１９】本発明の第１の実施の形態において、ディスプレイカバー、第１のアンテナカバーおよび第２のアンテナカバーの位置関係を示す斜視図。
【図２０】本発明の第１の実施の形態において、ディスプレイカバーと第２のアンテナカバーとの位置関係を示す斜視図。
【図２１】本発明の第１の実施の形態において、ディスプレイカバーに第１のアンテナカバーおよび第２のアンテナカバーを仮止めした状態を示す斜視図。
【図２２】本発明の第１の実施の形態において、ディスプレイカバーに第２のアンテナカバーを仮止めした状態を示す斜視図。
【図２３】本発明の第１の実施の形態において、第２のアンテナカバーの第２の溶着突起をディスプレイカバーの貫通部に差し込んだ状態を示す斜視図。
【図２４】本発明の第１の実施の形態において、第２のアンテナカバーの第２の溶着突起をディスプレイカバーの貫通部に差し込んだ状態を示す平面図。
【図２５】図２２のＦ２５−Ｆ２５線に沿う断面図。
【図２６】本発明の第１の実施の形態において、貫通部に溶けた樹脂が充填された状態を示す断面図。
【図２７】本発明の第２の実施の形態に係る貫通部の平面図。
【図２８】本発明の第３の実施の形態に係る貫通部の平面図。
【符号の説明】
【０１２５】
６…筐体（第２の筐体）、１４…第２の部品（ディスプレイカバー）、２１ａ，２１ｂ，２１ｃ，２１ｄ，２１ｅ…アンテナ素子、２２，２３…開口（第１の開口、第２の開口）、２４，２５…第１の部品（第１のアンテナカバー、第２のアンテナカバー）、２８，２９，６２，６３…溶着突起（第１の溶着突起、第２の溶着突起）、４５，７１…貫通部、５０，７２…導入口、５１，７３…終端部。
【図１】
2008003714.tif 000003
【図２】
2008003714.tif 000004
【図３】
2008003714.tif 000005
【図４】
2008003714.tif 000006
【図５】
2008003714.tif 000007
【図６】
2008003714.tif 000008
【図７】
2008003714.tif 000009
【図８】
2008003714.tif 000010
【図９】
2008003714.tif 000011
【図１０】
2008003714.tif 000012
【図１１】
2008003714.tif 000013
【図１２】
2008003714.tif 000014
【図１３】
2008003714.tif 000015
【図１４】
2008003714.tif 000016
【図１５】
2008003714.tif 000017
【図１６】
2008003714.tif 000018
【図１７】
2008003714.tif 000019
【図１８】
2008003714.tif 000020
【図１９】
2008003714.tif 000021
【図２０】
2008003714.tif 000022
【図２１】
2008003714.tif 000023
【図２２】
2008003714.tif 000024
【図２３】
2008003714.tif 000025
【図２４】
2008003714.tif 000026
【図２５】
2008003714.tif 000027
【図２６】
2008003714.tif 000028
【図２７】
2008003714.tif 000029
【図２８】
2008003714.tif 000030